(57)【特許請求の範囲】
【請求項１】
角柱からなる壁下地上に、中空パイプからなる竪樋が設置されており、該竪樋を挟持するように左右の壁材端部が配置されており、該壁材の端部と竪樋を隠蔽するように、取付具を介して長尺の入隅カバーが配設されていることを特徴とする入隅構造。
【発明の詳細な説明】
【０００１】
【産業上の利用分野】
本発明は内装材、外装材として使用する壁材の端部を入隅材にてカバーすると共に、雨水等を流下させる竪樋としても機能する入隅構造に関するものである。
【０００２】
【従来の技術】
従来の入隅構造では防水性や美観性の向上は考慮されてはいたものの、壁材の入隅部を竪樋として利用する技術思想は全く存在しなかった。また、一般的な雨樋としては、屋根から流れてくる雨水を軒樋を介して１ヶ所に集め、それを壁材の外に配設した竪樋により地面や、流水溝等に流すものであった。
【０００３】
【発明が解決しようとする課題】
しかしながら、従来の竪樋は外部に露出して形成され、美感性に劣ると共に、壁面から突出しているために、邪魔になるものであった。
【０００４】
【課題を解決するための手段】
本発明はこのような欠点を除去するため、角柱からなる壁下地上に、中空パイプからなる竪樋を設置し、そして竪樋を挟持するように左右の壁材端部を配置し、次に壁材の端部と竪樋を隠蔽するように、取付具を介して長尺の入隅カバーを配設することにより、竪樋を入隅部内に収納した入隅構造とし、上記課題を解決したものである。
【０００５】
【実施例】
以下に図面を用いて本発明に係る入隅構造の一実施例について詳細に説明する。すなわち、図１および図１の断面図である図２は本発明に係る入隅構造の代表例を示す説明図である。また、図３は一般の家屋を示す説明図であり、本発明に係る入隅構造は図３におけるイ部分の構造に関するものである。
【０００６】
すなわち、本発明に係る入隅構造は図１、図２に示すように、壁下地Ａ、防水シートＢ、壁材Ｃ（１点鎖線で示す）、竪樋Ｄ、取付具Ｅ、入隅カバーＦからなるものである。
【０００７】
壁下地Ａは、壁の角部分（入隅部分）に位置する主柱、間柱等の躯体、もしくは躯体に取り付けられた胴縁、受け材等からなるものである。勿論、これらは木造構造の場合であり、下地が鉄骨構造の際はＨ型鋼材、角型鋼材、Ｃ型鋼材（リップ溝型鋼材）等が該当するものである。
【０００８】
防水シートＢは防水性、通気性等を有するものであり、壁下地Ａと後記する壁材Ｃとの間に必要に応じて敷設するものであり、内部結露の発生をも防止するものである。
【０００９】
壁材Ｃは乾式の板状外壁材、もしくは板状内壁材等からなり、例えば図４に示すような金属系サイディング材や、その他にも壁材Ｃが外壁材の場合には窯業系サイディング材、大型金属系サンドイッチパネル、無機質（セラミック）押出中空板、ＡＬＣボード、ＯＳＢ（構造用合板）、合板等、内壁材の際は石膏ボード、パーティクルボード、ＯＳＢ（構造用合板）、合板等からなるものである。
【００１０】
また、図４に示す壁材Ｃの金属系サイディング材は、表面材１と裏面材２で芯材３をサンドイッチすると共に、一端に雄型連結部４を、他端には雌型連結部５を形成し、相决状に雄、雌連結し横張り、あるいは縦張りできる壁材Ｃである。
【００１１】
すなわち、表面材１は金属薄板を任意断面形状に成形したものであり、各種カラー鋼板、フッ素樹脂鋼板、カラーアルミ、ステンレス鋼板、銅板、ガルバリウム鋼板、等からなるものである。
【００１２】
裏面材２は表面材１と同様な素材か、もしくはアルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布、等の１種、または２種以上をラミネートしたもの、あるいは防水処理、難燃処理されたシート状物からなるものである。
【００１３】
芯材３はポリウレタンフォーム、ポリイソシアヌレートフォーム、フェノールフォーム、ユリアフォーム、塩ビフォーム等の各種合成樹脂発泡体、もしくは石膏ボード等からなり、断熱性、防火性を向上するものである。
【００１４】
さらに、壁材Ｃは図１、図２に示すように、左右の壁材Ｃの端部で後記する竪樋Ｄを挟持するように、壁下地Ａに釘、ビス等の固定具αを介して取り付けるものである。
【００１５】
竪樋Ｄは、図５に示すように、内部に中空部６を形成した中空パイプ状の長尺物であり、その素材は、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって形成したものである。
【００１６】
また、竪樋Ｄは図１、図２に示すように、角部分に左右の壁材Ｃの端部にて挟持されるように、鉛直方向に沿って配設されるものであり、竪樋Ｄの上部は図３に示すように、屋根７下の横樋８に、下部は下水道や排水路（図示せず）、地面等に各種役物等を介して接続されるものである。
【００１７】
すなわち、竪樋Ｄは屋根７から横樋８を介して集められた雨水等を、下水道や排水路、地面等に流水するための排水路として機能するものである。
【００１８】
取付具Ｅは図６（ａ）、（ｂ）に示すように、その断面形状を入隅部の角度に合わせて角度θで屈曲した左右の固定面９と、固定面９の端縁を折り返してフック状に形成した係止片１０とから図６（ａ）に示すような短尺状、あるいは、図６（ｂ）に示すような長尺状に形成したものである。また、固定面９には釘打ちのための孔１１を形成したものである。特に、長尺に形成した図６（ｂ）の取付具Ｅでは、孔１１を長孔とし、熱による素材の収縮に対応できるものとしたものである。
【００１９】
取付具Ｅは図１、図２に示すように、壁材Ｃの端部および竪樋Ｄ上から、釘等の固定具αを介して壁下地Ａに固定するものであり、竪樋Ｄの固定、支持材、および後記する入隅カバーＦの係止材として機能するものである。
【００２０】
なお、取付具Ｅが図６（ａ）に示すような短尺状である際は、鉛直方向に一定間隔を設けて複数個取り付けるものである。
【００２１】
入隅カバーＦは図７に示すように、その断面形状を入隅部の角度に合わせて頂点部１２から、角度θで屈曲した左右のカバー面１３と、カバー面１３の縁端をＳ字状に屈曲して形成した係合溝１４とから長尺状に形成したものである。なお、取付具Ｅおよび入隅カバーＦの素材としては、前記した竪樋Ｄと同様な素材を、ロール成形、押出成形、射出成形、プレス成形等を行い、成形するものである。
【００２２】
入隅カバーＦは図１、図２に示すように、その係合溝１４を取付具Ｅの係止片１０に素材のスプリングバックを利用して係止、係合して取り付けるものであり、入隅部分の化粧材、防水材として機能するものである。
【００２３】
次に、本発明に係る入隅構造の施工例を説明する。まず、図８に示すように主柱からなる壁下地Ａ上に、防水シートＢを敷設する。そして、角部に竪樋Ｄを配置すると共に、左右の壁材Ｃの端部を固定具βによって壁下地Ａに固定する。
【００２４】
次に、図９に示すように、取付具Ｅをその孔１１から固定具αを介して壁下地Ａに取り付け、竪樋Ｄを支持、固定する。
【００２５】
最後に、図１０に示すように、入隅カバーＦの一端の係合溝１４を取付具Ｅの係止片１０に挿入して、素材のスプリングバックを利用して、他端の係合溝１４を矢印で示すように係止片１０に嵌合し、施工を完了するものである。
【００２６】
【その他の実施例】
以上説明したのは、本発明に係る入隅構造の代表的実施例であり、図１１〜図１４に示すような各種部材を用いたり、図１５に示すような入隅構造とすることもできる。
【００２７】
すなわち、図１１（ａ）〜（ｇ）は、竪樋Ｄの断面の変形例を示す説明図であり、特に図１１（ｅ）は中空部６の外側に、図１１（ｆ）は内側に、合成樹脂やその発泡体からなる防水断熱材１５を積層した例であり、水漏れの防止と結露の発生を防止できる竪樋Ｄの例である。また、図１１（ｇ）は外周に軟質パッキング材１６を一体に貼着したものであり、取り付けの際のぐらつきを防止すると共に、他部材との設置面の緩衝材として機能し、竪樋Ｄの破損や腐食、発錆を防止できる竪樋Ｄの例である。
【００２８】
図１２（ａ）、（ｂ）は取付具Ｅの断面の変形例を示す説明図であり、（ａ）図は固定面９の裏面に、１点鎖線で示す竪樋Ｄを挟持する挟持片１７を形成した例、（ｂ）図は固定面９の裏面に竪樋Ｄのガタ付きを防止できる軟質パッキング材１６を貼着した取付具Ｅの例である。
【００２９】
図１３（ａ）〜（ｃ）、図１４（ａ）〜（ｃ）は入隅カバーＦの断面の変形例を示す説明図であり、図１３（ａ）は頂点部１２を切除し平らな平面部１８を形成した例、図１３（ｂ）はカバー面１３の途中に凹状の補強リブ１９を形成した例、図１３（ｃ）は係合溝１４を変形した例、図１４（ａ）は係合溝１４の先端をカバー面と平行に外方向に延長した延長カバー面２０を形成した例、図１４（ｂ）はその延長カバー面２０に壁材Ｃと接する軟質パッキング材１６を貼着して、防水性を向上した例、図１４（ｃ）はカバー面１３の裏面に軟質パッキング材１６を貼着して、防水性を向上した入隅カバーＦの例である。
【００３０】
図１５は壁材Ｃ、竪樋Ｄと取付具Ｅとの間に、入隅カバーＦで隠蔽することができる程度の幅の防水シートＢを敷設したものであり、内部結露発生の防止と、入隅部の防水性を向上した入隅構造の例である。勿論、これらの部材を各々組み合わせた入隅構造とすることができる。
【００３１】
【発明の効果】
上述したように本発明に係る入隅構造によれば、竪樋を入隅材の内部に収納した入隅構造となるため、竪樋が外部に露出せず、邪魔にならないと共に、美観性が向上する。等の特徴、効果がある。
【図面の簡単な説明】
【図１】本発明に係る入隅構造の代表例を示す説明図である。
【図２】本発明に係る入隅構造の代表例を示す説明図である。
【図３】本発明に係る入隅構造が用いられる部分を示す説明図である。
【図４】入隅構造を構成する壁材の一例を示す説明図である。
【図５】入隅構造を構成する竪樋の一例を示す説明図である。
【図６】入隅構造を構成する取付具の一例を示す説明図である。
【図７】入隅構造を構成する入隅カバーの例を示す説明図である。
【図８】本発明に係る入隅構造の施工手順の一例を示す説明図である。
【図９】本発明に係る入隅構造の施工手順の一例を示す説明図である。
【図１０】本発明に係る入隅構造の施工手順の一例を示す説明図である。
【図１１】入隅構造を構成する竪樋のその他の例を示す説明図である。
【図１２】入隅構造を構成する取付具のその他の例を示す説明図である。
【図１３】入隅構造を構成する入隅カバーのその他の例を示す説明図である。
【図１４】入隅構造を構成する入隅カバーのその他の例を示す説明図である。
【図１５】本発明に係る入隅構造のその他の例を示す説明図である。
【符号の説明】
Ａ  壁下地
Ｂ  防水シート
Ｃ  壁材
Ｄ  竪樋
Ｅ  取付具
Ｆ  入隅カバー
α  固定具
１  表面材
２  裏面材
３  芯材
４  雄型連結部
５  雌型連結部
６  中空部
７  屋根
８  横樋
９  固定面
１０  係止片
１１  孔
１２  頂点部
１３  カバー面
１４  係合溝
１５  防水断熱材
１６  軟質パッキング材
１７  挟持片
１８  平面部
１９  補強リブ
２０  延長カバー面
【図１】
0003780318.tif 000002
【図２】
0003780318.tif 000003
【図３】
0003780318.tif 000004
【図４】
0003780318.tif 000005
【図５】
0003780318.tif 000006
【図６】
0003780318.tif 000007
【図７】
0003780318.tif 000008
【図８】
0003780318.tif 000009
【図９】
0003780318.tif 000010
【図１０】
0003780318.tif 000011
【図１１】
0003780318.tif 000012
【図１２】
0003780318.tif 000013
【図１３】
0003780318.tif 000014
【図１４】
0003780318.tif 000015
【図１５】
0003780318.tif 000016